(57)【要約】      （修正有）【課題】通信端末と外部装置との通信システムのセキュリティを高め、通信端末紛失時における電気錠に対する防犯効果に優れたアクセス制御システムの提供。【解決手段】通信端末１は、入出力部１１と、制御部１２と、少なくともアプリケーション１３と認証用ＰＩＮコード１４とＩＤ１５とを記憶する記憶部１６と、アプリケーションを実行して入出力部にアプリケーション情報を出力するアプリケーション実行部１７と、イベント検出部１８と、イベント検出部の検出に基づいてＰＩＮ認証フラグを立てるフラグ設定部１９と、制御部の制御に基づき電気錠制御装置２と無線通信を行う無線通信部１１bとを備え、イベント検出部はアプリケーション実行部によって所定アプリケーションの特定のメニューが作動したことを検知し、制御部は特定のメニューが起動中であることを条件として認証用ＰＩＮコードを解除すると共に、無線通信部を介して少なくともＩＤを送信する。【選択図】図２
2013170440.tif 000002
【特許請求の範囲】
【請求項１】
通信端末と、開閉体制御装置と、この開閉体制御装置と通信端末との間で認証通信を行うことにより開閉体の開閉を行うアクセス制御システムにおいて、通信端末は、入出力部と、制御部と、少なくともアプリケーションと、認証用ＰＩＮコードと、ＩＤとを記憶する記憶部と、アプリケーションを実行して入出力部にアプリケーション情報を出力するアプリケーション実行部と、該アプリケーション実行部によってアプリケーションが起動したことを検出するイベント検出部と、このイベント検出部の検出に基づいてＰＩＮ認証フラグを立てるフラグ設定部と、制御部の制御に基づき開閉体制御装置と無線通信を行う無線通信部とを備え、イベント検出部はアプリケーション実行部によって所定アプリケーションの特定のメニューが作動したことを検知し、制御部は特定のメニューが起動中であることを条件として認証用ＰＩＮコードを解除すると共に無線通信部を介して、少なくとも前記ＩＤを外へ送信することを特徴するアクセス制御システム。
【請求項２】
請求項１に於いて、所定アプリケーションは、日常的に発生し得る多数のメニューを有し、かつ視覚や聴覚に訴えるソフトウエアであって、イベント検出部は、該ソフトウエアの起動に基づいて記憶部に登録されているユーザ好みのメニューが特定したら、該メニューをトリガーとして検出することを特徴するアクセス制御システム。
【請求項３】
請求項１に於いて、所定アプリケーションは、音楽用ソフトウエアであって、イベント検出部は、該音楽用ソフトウエアの起動に基づいて記憶部に登録されているユーザ好みの特定曲が特定（再生）したら、該特定曲をトリガーとして検出することを特徴するアクセス制御システム。
【請求項４】
請求項１に於いて、所定アプリケーションは、写真用ソフトウエアであって、イベント検出部は、該写真用ソフトウエアの起動に基づいて記憶部に登録されているユーザ好みの特定写真が特定したら、該特定写真をトリガーとして検出することを特徴するアクセス制御システム。
【請求項５】
請求項１に於いて、前記所定アプリケーションは、音楽用ソフトウエア及び写真用ソフトウエアの両方であって、イベント検出部は、これらの両方のソフトウエアが起動したときにトリガー（入力信号）を検出することを特徴するアクセス制御システム。
【請求項６】
請求項１に於いて、開閉体制御装置は電気錠制御装置であり、通信端末から少なくともＩＤを受信する受信手段と、この受信手段から出力される受信情報が前記ＩＤであって、かつ予め電気錠記憶部に登録されたものであるか否かを判定する判定手段と、この判定手段により前記ＩＤが予め登録されたものであると判断された場合に扉に設けられた電気錠の駆動源を制御することを特徴するアクセス制御システム。
【請求項７】
請求項１に於いて、開閉体制御装置は電気錠制御装置でありは、通信端末から認証用ＰＩＮコード及びＩＤを受信する受信手段と、この受信手段から出力される受信情報が前記認証用ＰＩＮコード及びＩＤであって、かつ予め電気錠記憶部に登録されたものであるか否かを判定する判定手段と、この判定手段により前記認証用ＰＩＮコード及びＩＤが予め登録されたものであると判断された場合に扉に設けられた電気錠の駆動源を制御することを特徴するアクセス制御システム。
【請求項８】
請求項１に於いて、開閉体制御装置は車両や人の出入り口に設けられかつ開閉バーを左右又は上下に開閉制御するゲート制御装置であることを特徴するアクセス制御システム。
【発明の詳細な説明】
【技術分野】
【０００１】
本発明は、通信端末と、開閉体制御装置の一例である電気錠制御装置と、この電気錠制御装置と前記通信端末との間で認証通信を行うことにより、例えば不動産或いは動産の開閉体に設けられた電気錠の施錠・解錠、或いは車両や人の出入り口に設けられたゲート制御装置の開閉バーを左右又は上下に開閉制御するアクセス制御システムに関する。
【背景技術】
【０００２】
特許文献１の発明の課題は、「従来の入退室管理システムでは、携帯電話を紛失・盗難された場合に、不正な入退室の恐れがある、無線通信で多くの電力を必要する等の問題点に鑑み、その構成は、携帯電話などの通信端末３と、無線で認証通信を行うキー装置４を設け、その認証結果を電気錠制御装置２が通信により取得する。通信端末３とキー装置４の間の距離が離れ、無線が届かなくなり、認証通信ができていないときには、電気錠制御装置２は電気錠１を解錠しない。また、認証通信の開始は電気錠制御装置２中のユーザ検出部２４でユーザが検出された時とし、これにより、通信端末３の紛失や盗難時の不正な入退室を抑制でき、さらに認証通信のための無線送信頻度を減少させ省電力にできる」、ことを特徴とする（符号は公報のもの）。
【０００３】
しかしながら、通信端末３のイベント（入力信号）の発生条件として、例えば図５に示されているように、特定のボタンを押す、折り畳み式携帯電話を開ける、アンテナを伸縮させる、特定の音声等の操作や入力が必要であるものの、これらの態様は、普通一般にありふれた態様（例えば特定のキーを操作するだけ）なので、通信端末３を紛失・盗難された場合の_GoBack_GoBack防犯対策としては不十分なものであると言える。また、入退室の際、通信端末３の他に、ノンタッチキーと称されるキー装置４が必要なので、通信端末３と共にキー装置４を常に所持していなければ、該入退室管理システムを利用することができない。
【０００４】
特許文献２には、「アプリケーション実行部と、アプリケーションプログラムによる端末内の機密リソースへのアクセス権限の有無と決定手段を規制し、かつアクセス制御規制を保持するアクセス制御規制管理部と、アプリケーション、通信端末の識別子（端末番号）、ユーザ識別モジュール（ユーザＩＤ）とを記憶する記憶部と、入出力部とを備え、少なくとも前記端末番号か又はユーザＩＤのいずれかを指定して、前記アクセス制御規制を外部装置から取得し、前記機密リソースにアクセス際の判定手段に関する事項」が記載されている。
【０００５】
この特許文献２は、記憶部に記憶されている複数個のアプリケーションの内、アプリケーションプログラムが機密事項である場合に於いて、外部機器からの前記機密事項へのアクセス要求を許可するか否かの機密リソース（機密更新）管理部を通信端末に持たせたものであるが、該通信端末にアクセスする条件として、外部機器（通信端末識別情報を付与する第三機器、ネットで接続する管理サーバなど）から、予め端末番号か又はユーザＩＤのいずれかを取得したことを条件とする点で、特許文献１と同様である。付言すると、本願発明の如く、外部機器の周辺或いは無線領域に通信端末が入った時に、通信端末が自ら、ＰＩＮコードを解除して端末番号、ユーザＩＤ等の識別情報を出力するものではない。
【０００６】
したがって、上記特許文献１や特許文献２は、通信端末と外部機器（例えば扉、金庫、各種ゲート等の開閉体に電気錠を配備した電気錠システム）との二つの無線装置間で認証通信を行う場合には、システムが複雑化するという問題点がある。
【０００７】
そこで、現在、通信端末と、開閉体制御装置（例えば電気錠制御装置、ゲート制御装置など）と、この開閉体制御装置と前記通信端末との間で認証通信を行うことにより、例えば不動産或いは動産の開閉体に設けられたロック装置（例えば電気錠、ロック駆動手段）のロック・ロック解消（施錠・解錠）を行うアクセス制御システムにおいて、コロンブス的発想に基づき、通信端末と外部装置との通信システムを単純化し、かつロック装置に対する防犯効果や無断通過禁止に優れている発明の出現が要望されている。
【０００８】
ところで、特許文献３には、通信端末と、データ送受信機、ロック制御装置としての電気錠用制御装置、玄関扉に設けられた電気錠とを構成要件とし、前記電気錠用制御装置は、通信端末が玄関扉付近に位置した場合に、データ送受信機を介してパスワード（識別データ）要求のためのアプリケーションソフトを起動する起動信号を送信し、通信端末のアプリケーションを用いて暗証番号入力を行い、電気錠を解錠する事項が記載されているので、二つの装置間で認証通信を実行する点で優れている。
【０００９】
しかしながら、特許文献３は、電気錠用制御装置の記憶部に、必ず通信端末が用いるアプリケーション情報を設定しなければならず、端末製造番号或いは端末番号、ユーザＩＤなどの識別情報を登録している既存の電気錠システムに容易に適用することができないという問題点がある。
【先行技術文献】
【特許文献】
【００１０】
【特許文献１】特開２００８−５７１１２号
【特許文献２】Ｗ２００７／０４３６５９号
【特許文献３】特開２０１１―９４２９２号
【発明の概要】
【発明が解決しようとする課題】
【００１１】
本願発明の所期の目的は、開閉体制御装置（例えば電気錠制御装置、ゲート制御装置など）と通信端末との間で認証通信を行うことにより、例えば開閉体に設けられた電気錠の施錠・解錠を行うアクセス制御システムにおいて、コロンブス的発想に基づき、通信端末と外部装置との通信システムのセキュリティを高め、通信端末紛失時における錠前（例えば電気錠、入退出用ロックバー駆動装置など）に対する防犯効果や無断通過禁止に優れている発明を提案することである。第２の目的は、例えば既存の電気錠システムや車両や人の出入り口に設けられたゲート制御装置に適用することができることである。
【課題を解決するための手段】
【００１２】
本発明のアクセス制御システムは、通信端末と、開閉体制御装置と、この開閉体制御装置と通信端末との間で認証通信を行うことにより開閉体のロック・ロック解消を行うアクセス制御システムにおいて、通信端末は、入出力部と、制御部と、少なくともアプリケーションと、認証用ＰＩＮコードと、ＩＤとを記憶する記憶部と、アプリケーションを実行して入出力部にアプリケーション情報を出力するアプリケーション実行部と、該アプリケーション実行部によってアプリケーションが起動したことを検出するイベント検出部と、このイベント検出部の検出に基づいてＰＩＮ認証フラグを立てるフラグ設定部と、制御部の制御に基づき開閉体制御装置と無線通信を行う無線通信部とを備え、イベント検出部はアプリケーション実行部によって所定アプリケーションの特定のメニューが作動したことを検知し、制御部は特定のメニューが起動中であることを条件として認証用ＰＩＮコードを解除すると共に無線通信部を介して、少なくとも前記ＩＤを外へ出すことを特徴とする。
【００１３】
ここで、「ＩＤ」は、通信端末の製造番号や携帯番号、通信端末の個人を特定するためのユーザＩＤ（個人識別情報）のいずれか一つ又は両方をいう。また、ここでの「アプリケーション」には、通信端末の購入時に既にその記憶部に記録されているもの、通信網を介してダウンロードしたもの、いわゆるクラウドコンピューティング方式により、サービス料金を支払う形式のものが含まれる。
【発明の効果】
【００１４】
（ａ）通信端末の紛失、盗難等の事故が発生した場合、例えば駅に設置されたゲートの制御装置、車庫の出入り口に設置されたゲートの制御装置、扉に設置された電気錠の制御装置等の開閉体制御装置が制御する開閉体を簡単に開けることができない。すなわち、所定のアプリケーション（例えば音楽ソフト、写真ソフトなど）が起動し、かつ、イベント（入力）として、該アプリケーションの中の登録済みのユーザ好み曲を再生したとき（例えば特定のＸ曲、何月何日の写真、特定の絵柄等がトリガーとなることが条件）、認証用ＰＩＮコードを解除し、該ＰＩＮコードの解除を条件として、端末製造番号や端末番号又は／及び個人を特定する識別情報（ユーザＩＤ）を出力するだけなので、コロンブス的発想に基づき、通信端末と電気錠制御装置、ゲート制御装置などの外部装置との通信システムを可能にし、通信端末紛失時における電気錠、入退出用ロックバー駆動装置などに対する防犯効果や無断通過禁止に優れている発明を提案することができる。特に防犯を目的とするために端末の製造番号、個人情報等を登録している既存の電気錠システムに適用することができる。
（ｂ）請求項２乃至請求項８に記載の発明は、所定のアプリケーションを起動させても、日常的に発生する多数のメニュー（例えば音楽、写真など）が存在するので、不法に通信端末を所持している者は、容易に認証用ＰＩＮコードを解除することができない。したがって、例えば特許文献３と対比すると、防犯効果や無断通過禁止の効果に優れている。また開閉体制御装置側の記憶部に認証用ＰＩＮコード、ユーザ好みの識別情報等を加味すると、より一層の防犯効果や無断通過禁止の効果を期待することができる。
【図面の簡単な説明】
【００１５】
図１乃至図５は本発明の一実施形態を示す各説明図。図６及び図７は外部機器の他の形態を示す各説明図。
【図１】通信端末機の表示画面の流れ示す概略説明図（流れは一例）。
【図２】通信端末機のブロック図。
【図３】外部機器（電気錠制御装置）の一例を示すブロック図。
【図４】主要部のフローチャート。
【図５】外部機器のフローチャート。
【図６】外部機器（ゲート制御装置）と通信端末との結合システムを示す概略説明図。
【図７】ゲート制御装置を示す概略ブロック図。
【発明を実施するための最良の形態】
【００１６】
まず図１は、例えば通信端末機１の一例としてのスマートフォン（登録商標）の外観を示す正面図である。この図１において、スマートフォン（登録商標）は、手のひらに載せることができる扁平状形態で、その一側表面に表示画面及び入力画面１１ａとしてのタッパネルが設けられている。またスマートフォンの機枠の縁部には単数又は複数個の不番の操作ボタンが配設され、その一つを押すと、前記表示画面１１ａに南京錠、ロックキー、数字等の絵柄や数字が表示されたロック画面ａが現れる。そこで、前記絵柄や数字を所定方向へ指で操作してスライドさせると、例えば複数個のアイコンが左右前後に整列状態にアイコン選択画面ｂが現れる。そして、該アイコン選択画面の前記複数個のアイコンの一つを選択すると、当該アイコンに基づくアプリケーション（実施形態では所定のアプリケーション１３）が起動する。利用者であるユーザは、複数個のメニューから「登録済みのメニューｄ」を特定、例えば音楽ソフトであれば好みのＡ曲１３ａを選定する。本実施形態では、前記好みのＡ曲１３ａの選定が、ＰＩＮコードを解除するトリガーと成る。
【００１７】
次に、図２は通信端末機の構成図である。本発明は、非接触ＩＣチップを搭載したＡｎｄｒｏｉｄ端末（例えば登録商標のスマートフォンなどの通信端末）１と、開閉体制御装置の一例である電気錠制御装置２と、この電気錠制御装置２と前記通信端末１との間で認証通信３を行うことにより、例えば不動産（建物）或いは動産（金庫、ロッカー、車両、船舶、ロケットなど）の開閉体４に設けられた電気錠５の施錠・解錠を行うアクセス制御システムＸである。
【００１８】
このアクセス制御システムＸは、例えば駅に設置されたゲート制御装置（いわゆる改札）、車庫、駐車場等の出入り口に設置されたゲート制御装置、各種扉に設置された電気錠制御装置等の開閉体制御装置との間で使用される。
【００１９】
本発明は通信端末１側に特徴があり、開閉体制御装置の一例である電気錠制御装置２は既存のものを使用することができる。したがって、ここでは通信端末１の構成を具体的に説明し、例えば不動産又は動産の開閉体４に設けられた電気錠５の施錠・解錠に用いる電気錠制御装置２の構成については後述する。なお、実施形態では電気錠制御装置２との結合について説明するが、開閉体制御装置は、前述したようにゲート制御装置との結合であっても良い。
【００２０】
さて、通信端末１は、入出力部１１と、情報を処理する制御部１２と、少なくとも一つ以上のアプリケーション１３、認証用ＰＩＮコード１４、通信端末の製造番号、端末番号、個人識別情報等のＩＤ（識別情報）１５をそれぞれ記憶する記憶部１６と、前記アプリケーション１３を実行して前記入出力部１１の表示画面１１ａに文字、数字、記号、絵柄、音楽、写真等のアプリケーション情報を出力するアプリケーション実行部１７と、該アプリケーション実行部１７によってアプリケーションが起動したことを検出するイベント検出部１８と、このイベント検出部１８の検出に基づいてＰＩＮ認証フラグを立てるフラグ設定部１９と、前記制御部１２の制御に基づき前記電気錠制御装置２と無線通信を行う端末側無線通信部１１ｂとを備えている。
【００２１】
しかして、入出力部１１は、数字や文字、操作指示などの情報をユーザが、例えば表示画面１１ａを介して入力する部分であり、複数のキー（例えばアイコン）を備える。制御部１２は情報を処理する演算処理部である。記憶部１６は、ＩＤ（識別情報）及びＰＩＮ（Ｐｅｒｓｏｎａｌ／Ｉｄｅｎｔｉｆｉｃａｔｉｏｎ／Ｎｕｍｂｅｒ；暗証番号）を記憶している部分である。
【００２２】
本実施形態では、記憶部１６には、購入時に既に格納されている或いはインターネットを介してダウンロードした単数又は複数のアプリケーションが格納され、その中にユーザが特に選定した所定（特定）のアプリケーション１３が登録されている。
また記憶部１６には、所定のアプリケーション１３の一例である、例えば音楽ソフトには、複数個のメニュー（例えばＡ曲１３ａ、Ｂ曲１３ｂ、Ｃ曲１３ｃ………ｎ曲１３ｎ）のいずれか一つが登録されている。
【００２３】
付言すると、端末の記憶部１６には、所有者（利用者）の好みに合う少なくとも一つの所定アプリケーション（例えば音楽ソフト）１３が登録されており、所有者は表示画面１１ａを操作して該所定アプリケーション１３を起動させ、さらに、該所定アプリケーション１３を起動することによって得ることができる複数個のメニューの内、特定のメニュー（例えばＡ曲１３ａ）を、前記表示画面１１ａを介して入力（特定）することができる。
【００２４】
イベント検出部１８はアプリケーション実行部１７によって前記所定アプリケーション１３の特定のメニューが作動したことを検知する。したがって、本実施形態では、例えば特定のメニュー（例えばＡ曲１３ａ）が、いわゆるトリガーとなる。
【００２５】
フラグ設定部１９は、前記イベント検出部１８がイベント（入力）を検出した時にＰＩＮコード１４を解除するフラグ（所定のフラグ；イベント認証済みフラグ）を立てる部分である。これにより、端末の制御部（ＩＣ）１２は、前記特定のメニュー（例えばＡ曲１３ａ）が再生状態となっていることを、フラグ設定部１９を介して知ることができる。このように、本発明では、外部機器（例えば特許文献１のキー装置）から無線通信部１１ｂを介して受信した当該ＰＩＮ情報と通信端末１の記憶部１６に記憶されているＰＩＮコードとが一致しているか否かを全く判断する必要がない。また特許文献１の如く、通信端末のイベント（入力信号）のみを発生条件といるものでもない。
【００２６】
制御部１２は、所定アプリケーション１３が起動し、かつ、前記特定のメニュー１３ａが起動中であることを条件として前記認証用ＰＩＮコード１４を解除すると共に、端末側の無線通信部１１ｂを介して、少なくともＩＤ１５を外へ送信する。この場合通信端末１がＩＤ１５を出力する態様は特に問わない。通信端末１が自ら認証用ＰＩＮコード１４が解除したならば、直ちに或いは間欠的にＩＤ１５を出力しても良いし、又は電気錠制御装置２から要求信号に対して「受付ＯＫ」ということで、ＩＤ１５を返信しても良い。
【００２７】
そして、ＩＤ１５を含む認証通信３及び受信手段２ａを介してＩＤ１５を取得した電気錠制御装置２は、その認証判別手段の判別（認証）を経て、電気錠５に駆動信号を送り、開閉体４の開閉を許す。図５は外部機器のフローチャートの一例を示す。外部機器のフローチャートは本発明の特定要件ではないので、簡単に説明する。
【００２８】
Ｓｔｅｐ５は、受信手段２ａを介して通信端末１から送信されたＩＤ１５を受信する。Ｓｔｅｐ６は、認証通信３の中にＰＩＮコード１４が含まれている実施形態の場合には、当該ＰＩＮコードが一致するか否かをチェックする。一致しない場合には戻り、一致する場合には、Ｓｔｅｐ７でＩＤ１５が一致するか否かをチェックする。そして、ＩＤ１５が一致する場合には解錠する。
【００２９】
なお、携帯電話機１は、例えばＦｅｌｉＣａチップ（ＩＣチップ；「ＦＥＬＩＣＡ」は登録商標）が搭載されたモバイルＦｅｌｉＣａであり、識別番号，暗証番号、ＰＩＮ認証フラグ等は、ＦｅｌｉＣａチップのメモリに記憶されている。また、携帯電話機１は、通信端末機に必要な電話機能等は当然に備えている。ここでは通信端末１の公知ないし周知事項の詳細説明は割愛する。
【００３０】
次に、電気錠制御装置２の構成について説明する。通信端末１は、図２で示すように、望ましくは開閉体４に電気錠５が設置された電気錠制御装置２と組み合わせて用いられる。電気錠制御装置２の制御部２ｄは家屋やマンションやビルの壁面、それらの扉、金庫の扉、錠箱の内部のいずれかに配設されている。
【００３１】
電気錠制御装置２は、受信手段（受信コイル）２ａと、増幅・検波部２ｂ、１／０変換部２ｃと、制御部２ｄと、記憶部（データバッファ）２ｅと、判定手段２ｆと、駆動信号出力部２ｇとから構成されている。
【００３２】
受信手段２ａは、通信端末１から出力されたＩＤを受信する。増幅・検波部２ｂは受信コイル２ａで得られた高周波を増幅し、検波して１／０変換部２ｃに供給する。１／０変換部２ｃは増幅・検波部２ｂにて復調された受信情報を「１」と「０」の所定のコードに変換して出力する。
【００３３】
制御部２ｄは図示しないＣＰＵ、ＲＯＭ及びＲＡＭを有して構成され、ＲＯＭにはＣＰＵを制御するためのプログラムと製造番号や端末番号、個人を特定する番号等が記憶されている。
【００３４】
また判定手段２ｆ及び前記制御部２ｄは、１／０変換部２ｃから得られた受信情報（例えば通信端末１の端末番号、利用者である個人を特定する識別番号、ＰＩＮコード等）が予め登録されたものか否かを判定し、登録されたものであると判断すると、開閉体４に設置された電気錠５を制御する。
【００３５】
なお、実施形態によっては、前記制御部２ｄは電気錠５の制御と共に、端末番号、識別番号、ＰＩＮコード（暗証番号）を、図示しない信号出力部を介してシステム管理部へ出力する。
【００３６】
最後、図４は主要部のフローチャートである。図１では、通信端末１が利用者の操作により、所定アプリケーション１３、例えば音楽ソフトが起動したことを説図した（Ｓｔｅｐ１）。主要部のフローチャートはその続きで、イベント検出部１８は、アプリケーション実行部１７によって前記所定アプリケーション１３の特定のメニュー、例えばＡ曲１３ａが選定されたか否かを検出する（Ｓｔｅｐ２）。そこで、イベント検出部１８はＡ曲１３ａを検出すると、フラグ設定部１９はＡ曲１３ａが再生中であることを示し、該状態信号を受け取った制御部１２は、自らＰＩＮコードを解除する（Ｓｔｅｐ３）。そして、制御部１２はＰＩＮコードを解除したことを条件として、例えば外部からの信号受付を「ＯＫ」の状態にする（Ｓｔｅｐ４）。
【実施例】
【００３７】
本実施形態では、所定アプリケーション１３が音楽ソフトであり、かつ、特定のメニューが利用者好みの登録済みＡ曲１３ａであることを説図したが、もちろん、この実施形態に限定するものではない。
【００３８】
付言すると、所定アプリケーション１３は、日常的に発生し得る多数のメニュー１３ａ乃至１３ｎを有し、かつ、視覚や聴覚に訴えるソフトウエアであって、イベント検出部１８は、該ソフトウエアの起動に基づいて記憶部１６に登録されているユーザ好みのメニューが特定したら、該メニューをトリガー（入力信号）として検出する。したがって、所定アプリケーション１３は、例えば写真用ソフトウエアであって、イベント検出部１８は、該写真用ソフトウエアの起動に基づいて記憶部１６に登録されているユーザ好みの特定写真が特定したら、該特定写真をトリガー（入力信号）として検出しても良い。
【００３９】
さらに、前記所定アプリケーション１３は、音楽用ソフトウエア及び写真用ソフトウエアの両方であって、イベント検出部１８は、これらの両方のソフトウエアが起動したときにトリガー（入力信号）を検出するようにしても良い。
【００４０】
一方、電気錠制御装置２は、通信端末１から少なくともＩＤを受信する受信手段２ａと、この受信手段２ａから出力される受信情報３が前記ＩＤであって、かつ予め電気錠記憶部２ｅに登録されたものであるか否かを判定する判定手段２ｆと、この判定手段２ｆにより前記ＩＤが予め登録されたものであると判断された場合に扉４に設置された電気錠５の駆動源を制御する。
【００４１】
又は電気錠制御装置２のセキュリティを高めるために、電気錠制御装置２は、通信端末１から認証用ＰＩＮコード１４及びＩＤ１５を受信する受信手段２ａと、この受信手段から出力される受信情報３が前記認証用ＰＩＮコード１４及びＩＤ１５であって、かつ予め電気錠記憶部２ｅに登録されたものであるか否かを判定する判定手段２ｆと、この判定手段により前記認証用ＰＩＮコード１４又は及びＩＤ１５が予め登録されたものであると判断された場合に扉４に設置された電気錠５の駆動源を制御する。
【００４２】
図６及び図７は開閉体制御装置の他例を示す。通信端末１は入退出管理装置に利用することができるので、例えば車Ｖの出入り口に設置されたゲート制御装置２Ａとの結合で用いることができる。図６はゲート制御装置２Ａの受信手段２ａに通信端末１をあてがった概略説明図、図７はゲート制御装置２Ａを示す概略ブロック図である。
【００４３】
これらの図に於いて、２Ａはゲート制御装置、５Ａは棒状・板状の開閉体４Ａを開閉する入退出用ロックバー駆動装置、２ａは受信手段、２ｂ、２ｃはＩＤ読取部、２ｆは認証部、２ｄは開閉体制御部である。通信端末１とゲート制御装置２Ａのフローチャートは、図５を援用し、重複する説明を割愛する。
【産業上の利用可能性】
【００４４】
本発明は、例えば入退出管理装置に利用することができる。
【符号の説明】
【００４５】
１…通信端末、２、２Ａ…開閉体制御装置（電気錠制御装置、ゲート制御装置）、３…認証通信、４…開閉体、５…電気錠・入退出用ロックバー駆動装置、１１…入出力部、１１ａ…表示画面、１１ｂ…無線通信部、１２…制御部、１３…アプリケーション、１３ａ乃至１３ｎ…メニュー、１４…ＰＩＮコード、１５…ＩＤ、１６…記憶部、１７…アプリケーション実行部、１８…イベント検出部、１９…フラグ設定部。
【図１】
2013170440.tif 000003
【図２】
2013170440.tif 000004
【図３】
2013170440.tif 000005
【図４】
2013170440.tif 000006
【図５】
2013170440.tif 000007
【図６】
2013170440.tif 000008
【図７】
2013170440.tif 000009